【手続補正書】
【提出日】令和1年12月19日(2019.12.19)
【手続補正１】
【補正対象書類名】特許請求の範囲
【補正対象項目名】全文
【補正方法】変更
【補正の内容】
【特許請求の範囲】
【請求項１】
表示パネルを製造するためのマスクであって、
間隔をあけて設置された複数の第一の貫通孔が開けられている表示領域と、
前記表示領域の周辺に設置され、間隔をあけて設置された複数の第二の貫通孔が開けられている遷移表示領域とを含み、
前記第二の貫通孔の密度は前記第一の貫通孔の密度より小さいことを特徴とするマスク。
【請求項２】
前記第一の貫通孔の幾何中心は第一の孔心であり、前記第二の貫通孔の幾何中心は第二の孔心であり、
前記第一の孔心の前記表示領域における配列形態と前記第二の孔心の前記遷移表示領域における配列形態とは同じであり、
前記第二の貫通孔の孔径は前記第一の貫通孔の孔径より小さいことを特徴とする請求項１に記載のマスク。
【請求項３】
前記第一の孔心と前記第二の孔心は水平方向において行に配列され、前記第一の孔心と前記第二の孔心は垂直方向において列に配列され、
前記水平方向において隣接する二つの前記第一の孔心間の距離は一定であり、前記垂直方向において隣接する二つの前記第一の孔心間の距離は一定であり、
前記水平方向において隣接する二つの前記第二の孔心間の距離は一定であり、前記垂直方向において隣接する二つの前記第二の孔心間の距離は一定である
ことを特徴とする請求項２に記載のマスク。
【請求項４】
前記水平方向において隣接する二つの前記第一の孔心間の距離は前記水平方向において隣接する二つの前記第二の孔心間の距離に等しく、前記垂直方向において隣接する二つの前記第一の孔心間の距離は前記垂直方向において隣接する二つの前記第二の孔心間の距離に等しいことを特徴とする請求項３に記載のマスク。
【請求項５】
前記第二の貫通孔のそれぞれは、いずれか一行又はいずれか一列に属し、
前記表示領域に最も近い一行の前記第二の貫通孔は前記遷移表示領域における第一行の貫通孔であり、前記表示領域から離れる方向に沿って、順次、前記遷移表示領域における第二行の貫通孔から第Ｎ行の貫通孔までが配置され、Ｎは正の整数であり、
前記表示領域に最も近い一列の前記第二の貫通孔は前記遷移表示領域における第一列の貫通孔であり、前記表示領域から離れる方向に沿って、順次、前記遷移表示領域における第二列の貫通孔から第Ｍ列の貫通孔までが配置され、Ｍは正の整数であり、
前記第Ｎ行の貫通孔及び前記第Ｍ列の貫通孔の孔径は少なくとも前記第一の貫通孔の孔径の０．３倍であることを特徴とする請求項４に記載のマスク。
【請求項６】
前記第一行から前記第Ｎ行までの貫通孔の孔径は第一の所定の規則で小さくなっていき、前記第一列から前記第Ｍ列までの貫通孔の孔径は第二の所定の規則で小さくなっていくことを特徴とする請求項５に記載のマスク。
【請求項７】
前記第二の貫通孔の行数と列数は同じであることを特徴とする請求項６に記載のマスク。
【請求項８】
前記第二の貫通孔が二行二列配置されている場合、
前記第一行の貫通孔及び前記第一列の貫通孔の孔径は前記第一の貫通孔の孔径の０．６〜０．９倍であり、
前記第二行の貫通孔及び前記第二列の貫通孔の孔径は前記第一の貫通孔の孔径の０．３〜０．６倍であり、
或いは、前記第二の貫通孔が三行三列配置されている場合、
前記第一行の貫通孔及び前記第一列の貫通孔の孔径は前記第一の貫通孔の孔径の０．７〜０．９倍であり、
前記第二行の貫通孔及び前記第二列の貫通孔の孔径は前記第一の貫通孔の孔径の０．５〜０．７倍であり、
第三行の貫通孔及び第三列の貫通孔の孔径は前記第一の貫通孔の孔径の０．３〜０．５倍であり、
或いは、前記第二の貫通孔が四行四列配置されている場合、
前記第一行の貫通孔及び前記第一列の貫通孔の孔径は前記第一の貫通孔の孔径の０．８〜０．９倍であり、
前記第二行の貫通孔及び前記第二列の貫通孔の孔径は前記第一の貫通孔の孔径の０．６〜０．８倍であり、
第三行の貫通孔及び第三列の貫通孔の孔径は前記第一の貫通孔の孔径の０．４〜０．６倍であり、
第四行の貫通孔及び第四列の貫通孔の孔径は前記第一の貫通孔の孔径の０．３〜０．４倍であり、
或いは、前記第二の貫通孔が五行五列配置されている場合、
前記第一行の貫通孔及び前記第一列の貫通孔の孔径は前記第一の貫通孔の孔径の０．８〜０．９倍であり、
前記第二行の貫通孔及び前記第二列の貫通孔の孔径は前記第一の貫通孔の孔径の０．７〜０．８倍であり、
第三行の貫通孔及び第三列の貫通孔の孔径は前記第一の貫通孔の孔径の０．６〜０．７倍であり、
第四行の貫通孔及び第四列の貫通孔の孔径は前記第一の貫通孔の孔径の０．４〜０．６倍であり、
第五行の貫通孔及び第五列の貫通孔の孔径は前記第一の貫通孔の孔径の０．３〜０．４倍であることを特徴とする請求項７に記載のマスク。
【請求項９】
前記第二の貫通孔の行数と列数は互いに異なることを特徴とする請求項６に記載のマスク。
【請求項１０】
前記第二の貫通孔は三行四列配置されている場合、
前記第一行の貫通孔の孔径は前記第一の貫通孔の孔径の０．７〜０．９倍であり、前記第二行の貫通孔の孔径は前記第一の貫通孔の孔径の０．５〜０．７倍であり、第三行の貫通孔の孔径は前記第一の貫通孔の孔径の０．３〜０．５倍であり、
前記第一列の貫通孔の孔径は前記第一の貫通孔の孔径の０．８〜０．９倍であり、前記第二列の貫通孔の孔径は前記第一の貫通孔の孔径の０．６〜０．８倍であり、第三列の貫通孔の孔径は前記第一の貫通孔の孔径の０．４〜０．６倍であり、第四列の貫通孔の孔径は前記第一の貫通孔の孔径の０．３〜０．４倍であることを特徴とする請求項８に記載のマスク。
【請求項１１】
表示基板と、
前記表示基板にアレイ状に配置されている画素とを含み、
前記画素は請求項１〜１０のいずれか一項に記載のマスクにより製造されることを特徴とする表示パネル。
【手続補正２】
【補正対象書類名】明細書
【補正対象項目名】０００８
【補正方法】変更
【補正の内容】
【０００８】
一実施例において、前記第一の孔心と前記第二の孔心は水平方向において行に配列され、前記第一の孔心と前記第二の孔心は垂直方向において列に配列され、前記水平方向において隣接する二つの前記第一の孔心間の距離は一定であり、前記垂直方向において隣接する二つの前記第一の孔心間の距離は一定であり、前記水平方向において隣接する二つの前記第二の孔心間の距離は一定であり、前記垂直方向に隣接する二つの前記第二の孔心間の距離は一定である。
【手続補正３】
【補正対象書類名】明細書
【補正対象項目名】００１０
【補正方法】変更
【補正の内容】
【００１０】
一実施例において、前記第二の貫通孔のそれぞれは、いずれか一行又はいずれか一列に属し、前記表示領域に最も近い一行の第二の貫通孔は前記遷移表示領域における第一行の貫通孔であり、前記表示領域から離れる方向に沿って、順次、前記遷移表示領域における第二行の貫通孔から第Ｎ行の貫通孔までが配置され、ここで、Ｎは正の整数であり、前記表示領域に最も近い一列の第二の貫通孔は前記遷移表示領域における第一列の貫通孔であり、前記表示領域から離れる方向に沿って、順次、前記遷移表示領域における第二列の貫通孔から第Ｍ列の貫通孔までが配置され、ここで、Ｍは正の整数であり、前記第Ｎ行の貫通孔及び前記第Ｍ列の貫通孔の孔径は少なくとも前記第一の貫通孔の孔径の０．３倍である。
【手続補正４】
【補正対象書類名】明細書
【補正対象項目名】００３０
【補正方法】変更
【補正の内容】
【００３０】
一実施例において、前記第一の孔心と前記第二の孔心は水平方向において行に配列されている。前記第一の孔心と前記第二の孔心は垂直方向において列に配列されている。前記水平方向において隣接する二つの前記第一の孔心間の距離は一定であり、前記垂直方向において隣接する二つの前記第一の孔心間の距離は一定である。また、前記水平方向において隣接する二つの前記第二の孔心間の距離は一定であり、前記垂直方向において隣接する二つの前記第二の孔心間の距離は一定である。前記水平方向において隣接する二つの前記第一の孔心間の距離は前記水平方向において隣接する二つの前記第二の孔心間の距離に等しく、前記垂直方向において隣接する二つの前記第一の孔心間の距離は前記垂直方向において隣接する二つの前記第二の孔心間の距離に等しい。つまり、前記第一の孔心及び前記第二の孔心は同じアレイ形態で配列され、ただし、前記遷移表示領域５１０における前記第二の貫通孔５１１の孔径が小さくなるため、隣接する前記第二の貫通孔５１１同士間の距離が増加し、前記遷移表示領域５１０における前記第二の貫通孔５１１の密度は低減する。本発明は、前記マスク５００の構造を簡単かつ便利に変更し、前記マスク５００の製造の難しさをさらに低下させ、前記マスク５００の強度を向上させ、網張り工程の確実さの向上に役立つ。
【手続補正５】
【補正対象書類名】明細書
【補正対象項目名】００３１
【補正方法】変更
【補正の内容】
【００３１】
図３に示すように、一実施例において、水平方向において前記表示領域５２０から離れる方向は第一の方向（Ｘ）とし、垂直方向において前記表示領域５２０から離れる方向は第二の方向（Ｙ）とする。第二の貫通孔のそれぞれは、いずれか一行又はいずれか一列に属する。即ち、ある行に属する第二の貫通孔はいずれの列にも属さず、ある列に属する第二の貫通孔はいずれの行にも属さないように構成されている。前記第二の貫通孔５１１は、前記第一の方向に、第一列の貫通孔、第二列の貫通孔…第Ｍ列の貫通孔（ここで、Ｍは正の整数である）が順に配置されている。ここで、第一列の貫通孔は、第一の方向において前記表示領域５２０に最も近い一列の第二の貫通孔であり、第Ｍ列の貫通孔は、第一の方向において前記表示領域５２０から最も離れた一列の第二の貫通孔である。また、前記第二の貫通孔５１１は、前記第二の方向に、第一行の貫通孔、第二行の貫通孔…第Ｎ行の貫通孔（ここで、Ｎは正の整数である）が順に配置されている。ここで、第一行の貫通孔は、第二の方向において前記表示領域５２０に最も近い一行の第二の貫通孔であり、第Ｎ行の貫通孔は、第二の方向において前記表示領域５２０から最も離れた一行の第二の貫通孔である。前記マスク５００の周縁における前記第二の貫通孔５１１の孔径が小さすぎて周縁領域での表示効果に過大な悪影響を与えることがないように、前記第Ｎ行の貫通孔及び前記第Ｍ列の貫通孔の孔径は少なくとも前記表示領域５２０における前記第一の貫通孔５２１の孔径の０．３倍とする。